(57)【要約】【課題】所定の駆動部が駆動中に、装置における電源が断たれた場合でも、その駆動中の駆動部に電力を供給することができるミシンの電力供給装置を実現する。【解決手段】電源スイッチ２２のオン操作に基づき、電源２１からの電力を二つの電力系駆動部にそれぞれ供給してその装置を動作させることができるミシン１００において、電源スイッチ２２のオフ操作に基づき、大電力系のモータ駆動部（例えば、ミシンモータ６）に対する電力の供給を切断して、そのモータ駆動部の駆動を停止させ、また、電源スイッチ２２がオフ操作された際に、低電力系の記憶処理駆動部（例えば、制御部１）が所定の処理に関する駆動中である場合には低電力の供給を継続し、所定の処理に関する駆動中でない場合にのみ、その記憶処理駆動部に対する電力の供給を切断することで、その記憶処理駆動部の駆動を停止させる構成にした。【選択図】図２
2006247266.tif 000002
【特許請求の範囲】
【請求項１】
高電力系駆動部としてのミシンモータに対して高電力を発生するとともに、前記ミシンモータを制御するための制御手段としての低電力系駆動部に対して低電力を発生するミシンの電力供給装置において、
前記高電力系駆動部に対する高電力の供給と切断を切り替える電源スイッチと、
前記電源スイッチのオン／オフ操作に関連して、前記低電力系駆動部に対する低電力の供給と切断を切り替える第１の接続手段と、
前記低電力系駆動部が、所定の制御処理を行っている場合に、前記低電力系駆動部に低電力を供給する第２の接続手段と、
を備えることを特徴とするミシンの電力供給装置。
【請求項２】
前記低電力系駆動部が所定の制御処理を行っている際に、前記電源スイッチがオフ操作された場合、電力切断に関する警告を行う警告手段を備えることを特徴とする請求項１に記載のミシンの電力供給装置。
【請求項３】
前記低電力系駆動部が所定の制御処理を行っている際に、前記電源スイッチがオフ操作された場合、前記電源スイッチがオフ操作された行為に関する記録を記憶するオフ操作記憶手段を備えることを特徴とする請求項１又は２に記載のミシンの電力供給装置。
【発明の詳細な説明】
【技術分野】
【０００１】
本発明は、ミシンの電力供給装置に係り、特に電源スイッチの操作に基づき、二つの電力系駆動部に対してそれぞれ電力の供給と切断とを切り替えるミシンの電力供給装置に関する。
【背景技術】
【０００２】
近年の家庭用ミシンにおいて、予め記憶されている様々な刺繍模様に関する複数の刺繍データを、ユーザが好みに合わせて組み合わせたり編集したりすることで、新たな刺繍模様に関する刺繍データを作成し、その作成した刺繍データを不揮発メモリなどの記憶装置に書き込み、記憶可能となっているミシンが知られている。
【０００３】
また、ミシンを駆動しての縫製作業中に停電が発生してしまい、ミシンがストップしてしまった際に、その停電解消後に縫製を再開して続行するのに必要な制御情報を不揮発メモリに記憶するようになっているミシンが知られている（例えば、特許文献１参照。）。
【特許文献１】特開平１０−２７２２７０号公報
【発明の開示】
【発明が解決しようとする課題】
【０００４】
しかしながら、上記家庭用ミシンに関する従来技術の場合、新たに作成した刺繍データをデータ記憶処理駆動部が記憶装置に書き込み記憶するためには、数秒から数十秒程度の時間がかかることがある。そのため、ユーザが、データ記憶処理駆動部が刺繍データの記憶処理に関する駆動中であることに気付かずに、電力供給装置としてのミシンの主電源をオフに切り替えて電力の供給を切断してしまった場合に、データ記憶処理駆動部への電力の供給も断たれてしまうので、記憶装置に書き込み途中であった新たな刺繍データの一部や全てが失われてしまうという問題があった。
【０００５】
また、上記特許文献１の場合、停電が発生してから制御用の電圧が所定の作動限界電圧に降下するまでの微小時間内に、制御駆動部が必要な制御情報だけを不揮発性メモリに格納し記憶するようになっているので、電力供給装置としてのミシンにおいて作成した刺繍データなどのミシンの縫製動作に関する縫製データを全て不揮発性メモリに記憶することができるとは限らず、作成した縫製データの一部や全てが失われてしまう可能性があるという問題があった。
【０００６】
本発明の目的は、所定の駆動部が駆動中に、装置における電源が断たれた場合でも、駆動中の駆動部に電力を供給することができるミシンの電力供給装置を提供することである。
【課題を解決するための手段】
【０００７】
以上の課題を解決するため、請求項１記載の発明は、高電力系駆動部としてのミシンモータに対して高電力を発生するとともに、ミシンモータを制御するための制御手段としての低電力系駆動部に対して低電力を発生するミシンの電力供給装置において、高電力系駆動部に対する高電力の供給と切断を切り替える電源スイッチと、電源スイッチのオン／オフ操作に関連して、低電力系駆動部に対する低電力の供給と切断を切り替える第１の接続手段と、低電力系駆動部が、所定の制御処理を行っている場合に、低電力系駆動部に低電力を供給する第２の接続手段と、を備えることを特徴とする。
【０００８】
請求項１記載の発明によれば、ミシンの電力供給装置は、電源スイッチにおけるオン操作に伴い、高電力系駆動部としてのミシンモータに対して高電力を供給するように発生することができ、また、その電源スイッチのオン操作に基づき、第１の接続手段が接続されることによって、この第１の接続手段を介して低電力系駆動部に対して低電力の供給を行うことができる。
また、電源スイッチにおけるオフ操作に伴い、高電力系駆動部としてのミシンモータに対する高電力の供給を切断することができ、また、その電源スイッチのオフ操作に基づき、第１の接続手段が切断されて、低電力系駆動部に対する低電力の供給を切断することができる。一方、低電力系駆動部が所定の制御処理を行っている場合には、第２の接続手段による接続によって、低電力系駆動部に低電力の供給を継続することができるようになっている。
【０００９】
請求項２記載の発明は、請求項１に記載のミシンの電力供給装置において、低電力系駆動部が所定の制御処理を行っている際に、電源スイッチがオフ操作された場合、電力切断に関する警告を行う警告手段を備えることを特徴とする。
【００１０】
請求項２記載の発明によれば、請求項１に記載の発明と同様の作用を奏するとともに、ミシンの電力供給装置において、低電力系駆動部が所定の制御処理を行っている際に、電源スイッチがオフ操作された場合、電力切断に関する警告を行うことができる。
【００１１】
請求項３記載の発明は、請求項１又は２に記載のミシンの電力供給装置において、低電力系駆動部が所定の制御処理を行っている際に、電源スイッチがオフ操作された場合、電源スイッチがオフ操作された行為に関する記録を記憶するオフ操作記憶手段を備えることを特徴とする。
【００１２】
請求項３記載の発明によれば、請求項１又は２に記載の発明と同様の作用を奏するとともに、ミシンの電力供給装置において、低電力系駆動部が所定の制御処理を行っている際に、電源スイッチがオフ操作された場合、低電力系駆動部が所定の制御処理中に電源スイッチがオフ操作された行為に関する記録を記憶することができる。
【発明の効果】
【００１３】
請求項１記載の発明によれば、ミシンの電力供給装置は、電源スイッチにおけるオン操作に伴い、高電力系駆動部としてのミシンモータに対して高電力を供給するように発生することができ、また、その電源スイッチのオン操作に基づき、第１の接続手段が接続されることによって、この第１の接続手段を介して低電力系駆動部に対して低電力の供給を行うことができる。また、電源スイッチにおけるオフ操作に伴い、高電力系駆動部としてのミシンモータに対する高電力の供給を切断することができ、また、その電源スイッチのオフ操作に基づき、第１の接続手段が切断されて、低電力系駆動部に対する低電力の供給を切断することができる。一方、低電力系駆動部が所定の制御処理を行っている場合には、第２の接続手段による接続によって、低電力系駆動部に低電力の供給を継続することができるようになっている。
【００１４】
このように、ミシンの電力供給装置は、電源スイッチにおけるオン操作に基づき、二つの電力系駆動部に電力を供給し、それらの駆動を可能にして装置を動作させることができる。また、電源スイッチにおけるオフ操作に基づき、電力の供給を切断して二つの電力系駆動部を停止させることができる。
一方、ミシンの電力供給装置は、その電源スイッチにおいてオフ操作された際に、低電力系駆動部が所定の処理に関する制御処理中である場合には、第２の接続手段による接続によって低電力系駆動部に低電力の供給を継続し、その制御処理を実行することを可能にする。つまり、低電力系駆動部が所定の処理に関する制御処理を実行中でない場合にのみ、低電力系駆動部の駆動を停止させることができる。
具体的には、低電力系駆動部が、電力の供給が切断されてしまっては不具合が生じるような所定の制御処理（例えば、メモリに対するデータの書き込み処理）を実行中である場合には、電源スイッチにおいてオフ操作されても、低電力系駆動部に電力が供給されるようになっているので、ミシンの電力供給装置において、低電力系駆動部はその所定の処理を完了するまで駆動することができる。
よって、ミシンの電力供給装置は、低電力系駆動部が駆動中に、電源スイッチのオフ操作によって電源が断たれてしまうような場合でも、その駆動中の低電力系駆動部に電力を供給することができる。従って、ミシンの電力供給装置において、低電力系駆動部はその所定の処理を完了するまで駆動することができる。
【００１５】
請求項２記載の発明によれば、ミシンの電力供給装置において、低電力系駆動部が所定の制御処理を行っている際に、電源スイッチがオフ操作された場合、電力切断に関する警告を行うことができる。
つまり、ミシンの電力供給装置において、低電力系駆動部が駆動中に電源スイッチのオフ操作がされてしまうなど、電源スイッチのオフ操作に関して不適切な電力切断、例えば、電力の供給が切断されてしまっては不具合が生じるような所定の処理を低電力系駆動部が完了する前にオフ操作が行われた場合に、ミシンの電力供給装置は、不適切なオフ操作による電力切断であった旨を警告することができる
よって、ミシンの電力供給装置は、不適切なオフ操作による電力切断であった旨を警告することによって、ユーザに不適切なオフ操作をしないよう注意を働きかけることができ、ユーザは不適切なオフ操作を行ったことを認識することができる。
【００１６】
請求項３記載の発明によれば、ミシンの電力供給装置において、低電力系駆動部が所定の制御処理を行っている際に、電源スイッチがオフ操作された場合、低電力系駆動部が所定の制御処理中に電源スイッチがオフ操作された行為に関する記録を記憶することができる。
つまり、ミシンの電力供給装置において、低電力系駆動部が駆動中に電源スイッチのオフ操作がされてしまうなど、電源スイッチのオフ操作に関して不適切な電力切断、例えば、電力の供給が切断されてしまっては不具合が生じるような所定の処理を低電力系駆動部が完了する前にオフ操作が行われた場合に、ミシンの電力供給装置は、低電力系駆動部が駆動中に電源スイッチがオフ操作された行為に関し、不適切なオフ操作による電力切断であった旨を記憶することができる。
そして、ミシンの電力供給装置において、不適切なオフ操作に関する行為の回数などのデータを記憶し蓄積することで、ユーザやその電力供給装置メーカの技術者が、その蓄積された不適切操作データに基づき、不適切操作行為に対する対策、対処手段を講じることが可能になる。
【発明を実施するための最良の形態】
【００１７】
本発明の実施の形態を図１〜図５に基づいて説明する。
本実施形態において、電力供給装置として電子刺繍ミシンを例に説明する。電子刺繍ミシンは、縫製を行う被縫製物である布を保持する保持枠を有し、その保持枠が縫い針に対し相対的に移動することにより、保持枠に保持される布に所定の刺繍データに基づく縫い目形状の刺繍縫い目を形成するミシンである。
【００１８】
電子刺繍ミシン１００（以下、ミシン１００）は、図１、図２に示すように、ミシンの各部を動作制御する制御部１と、ミシンの各部に電力を供給する電源部２と、電源部２から供給される電力を制御部１に中継する中継部３等を備えている。
なお、図１に示すように、制御部１には、操作パネル４、外部記憶装置５、ミシンモータ６、ステッピングモータ７などが接続されている。
【００１９】
電源部２は、図２に示すように、ミシンの各部に供給する電力を出力する電源２１と、電源２１からの電力の供給と切断とを切り替える電源スイッチ２２と、電源部２における一次側と二次側とを磁気的に接続するトランス２３とトランス２４と、電源スイッチ２２がオン操作されたことを示す電源オン信号（信号Ｂ）を制御部１に出力するフォトカプラ２５等を備えている。
電源部２のトランス２３、２４は、一次側の交流電源を絶縁するとともに、電源２１の電圧（例えば、１００Ｖ）を、トランス２３は、例えば、２４〜３０Ｖの大電力系の電圧に変換し、トランス２４は、例えば、３．３〜５．０Ｖの低電力系の電圧に変換し、それぞれトランスの二次側に伝達するように供給する。
なお、トランス２３は第１電力供給部として機能し、トランス２４は第２電力供給部として機能する。
【００２０】
中継部３は、図２に示すように、電源部２のトランス２３の二次側と制御部１における大電力系の駆動部とを結ぶ中継線３３と、電源部２のトランス２４の二次側と制御部１における低電力系の駆動部とを結ぶ中継線３４と、中継線３４において並列に配設される第１リレー３１と第２リレー３２等を備えている。
なお、第１リレー３１は、電源スイッチ２２のオン／オフ操作に関連して、後述する低電力系駆動部に対する低電力の供給と切断を切り替える第１の接続手段として機能し、第２リレー３２は、後述する低電力系駆動部が所定の制御処理を行っている場合に、その低電力系駆動部に低電力を供給する第２の接続手段として機能する。
【００２１】
このミシン１００における電源部２において、電源２１とトランス２４の一次側とは常に導通状態となっているが、トランス２４の二次側に配設されている中継線３４の第１リレー３１と第２リレー３２が、ミシン１００が動作しない待機状態においては開放状態となっているので、その負荷は０（ゼロ）であり電流はほとんど流れず、電力はほとんど消費されない。
そして、電源スイッチ２２がオン状態に切り替えられると、電源２１からトランス２３の一次側とフォトカプラ２５に電力が供給される。このフォトカプラ２５に電力が供給されると、フォトカプラ２５は制御部１に電源オン信号（信号Ｂ）を出力する。
【００２２】
また、電源２１からトランス２３の一次側に電力が供給されると、トランス２３は電源２１の電圧を大電力系の電圧Ｖｐに変換するようにして、トランス２３の二次側にその電力を伝達する。トランス２３の二次側に伝達し供給された大電力系の電圧Ｖｐに基づく電力は、ミシンモータ６やステッピングモータ７の駆動のために消費するように、中継部３の中継線３３を介して制御部１に送られる。
そして、トランス２３の二次側に伝達された大電力系の電圧Ｖｐに基づく電力によって、中継部３の中継線３３を介して第１リレー３１に対応する回路に電流が流れるようになる。
【００２３】
図３に示すように、電圧Ｖｐに基づく電流は、第１リレー３１に対応する回路における抵抗４１や抵抗４２に流れるとともにコンデンサ４３に充電される。コンデンサ４３が充電されて、トランジスタ４４のベース・エミッタ間の電位が上昇すると、トランジスタ４４がオン状態になり、第１リレー３１の駆動コイル３１ｃに電流が流れるようになり、第１リレー３１が閉じる。
そして、第１リレー３１が閉じることによって、電源部２（トランス２４）と制御部１とが中継部３を介して電気的に接続されることとなる。それに伴い、トランス２４の一次側に供給される電源２１からの電圧を、トランス２４は低電力系の電圧Ｖｃに変換するようにして、トランス２４の二次側にその電力を伝達する。トランス２４の二次側に伝達し供給された低電力系の電圧Ｖｃに基づく電力は、操作パネル４や外部記憶装置５、制御部１の駆動のために消費するように、中継部３の中継線３４を介して制御部１に送られる。この低電力系の電圧Ｖｃに基づく電力によって制御部１は起動する。
【００２４】
制御部１が、低電力系の電圧Ｖｃに基づく電力によって起動している状態であって、図４に示すように、後述する記憶処理駆動信号出力制御手段としての制御部１が記憶処理駆動信号（信号Ａ）を出力した場合に、その記憶処理駆動信号（信号Ａ）がインバータドライバ５１に入力され、トランジスタ５２がオン状態に切り替えられ、第２リレー３２の駆動コイル３２ｃに電流が流れるようになり、第２リレー３２が閉じる。そして、第２リレー３２が閉じることによって、トランス２４と制御部１とが中継部３を介して電気的に接続されることとなる。
【００２５】
一方、ミシン１００が動作する駆動状態において、電源スイッチ２２がオフ状態に切り替えられると、電源２１からトランス２３の一次側やフォトカプラ２５に供給される電力が切断される。このフォトカプラ２５への電力の供給が停止されると、フォトカプラ２５は機能停止し、制御部１への電源オン信号（信号Ｂ）の出力も停止する。
【００２６】
また、電源２１からトランス２３の一次側への電力の供給が停止されると、トランス２３や中継線３３を介して制御部１に伝達し供給された大電力系の電圧Ｖｐが消滅する。そして、大電力系の電圧Ｖｐに基づく電力により動作していたミシンモータ６やステッピングモータ７は駆動停止する。なお、ここで、トランス２３は、大電力系の電圧Ｖｐを消滅させ切断する電力切断部として機能する。
また、大電力系の電圧Ｖｐが消滅すると、第１リレー３１に対応する回路におけるコンデンサ４３に充電されていた電荷が抵抗４２を通じて放電されて、トランジスタ４４がオフ状態になり、第１リレー３１の駆動コイル３１ｃにも電流が流れなくなり、第１リレー３１が開放される。
【００２７】
第１リレー３１が開放されることによって、電源部２（トランス２４）と制御部１とが中継部３において電気的に切断されることとなる。
ここで、制御部１が低電力系の電圧Ｖｃに基づく電力によって起動している状態であって、後述する記憶処理駆動信号出力制御手段としての制御部１が記憶処理駆動信号（信号Ａ）を出力しており、第２リレー３２が閉じていれば、電源部２（トランス２４）と制御部１とは中継部３の第２リレー３２を介して電気的に接続された状態が維持されるので、低電力系の電圧Ｖｃに基づく電力により動作する制御部１などはその駆動を継続することができる。
そして、制御部１が、作成した新たな刺繍データをＥＥＰＲＯＭ１４に記憶させる刺繍データ記憶制御の実行を完了し、後述する記憶処理駆動信号出力制御手段としての制御部１が記憶処理駆動信号（信号Ａ）の出力を停止した場合に、その記憶処理駆動信号（信号Ａ）がインバータドライバ５１に入力されなくなり、トランジスタ５２がオフ状態に切り替えられ、第２リレー３２の駆動コイル３２ｃに電流が流れなくなり、第２リレー３２が開放される。第２リレー３２が開放されて、第１リレー３１と第２リレー３２がともに開放されたことによって、トランス２４や中継線３４を介して制御部１に伝達し供給される低電力系の電圧Ｖｃが消滅するので、低電力系の電圧Ｖｃに基づく電力により動作していた制御部１などは駆動停止する。
【００２８】
また一方、第１リレー３１が開放された際に、後述する記憶処理駆動信号出力制御手段としての制御部１が記憶処理駆動信号（信号Ａ）を出力しておらず、第２リレー３２が開放されていれば、トランス２４や中継線３４を介して制御部１に伝達し供給される低電力系の電圧Ｖｃが消滅するので、低電力系の電圧Ｖｃに基づく電力により動作していた制御部１などは駆動停止する。
【００２９】
図１に示すミシンモータ６は、図示しない上軸や下軸を回動させる駆動部であり、上軸（図示省略）の前端には上軸の回動により上下動する針棒（図示省略）が備えられており、その針棒の下端には縫い針（図示省略）が交換可能に設けられている。また、下軸（図示省略）の前端には下軸の回動により回転される釜（図示省略）が設けられている。そして、ミシンモータ６の駆動に伴い上軸とともに下軸が回動すると、縫い針（図示省略）と釜（図示省略）との協働により、図示しない保持枠に保持されている布に縫い目が形成される。
図１に示すステッピングモータ７は、図示しない針棒を左右に振ったり、図示しない保持枠を前後に移動させたりする駆動部であり、ステッピングモータ７の駆動に伴い針棒（縫い針）と保持枠とが相対的に移動することにより、保持枠に保持される布に所定の刺繍データに基づく刺繍模様の縫い目が形成されるようになっている。
【００３０】
図１に示す操作パネル４は、ＬＣＤなどの表示装置と、表示装置の表面に設けられたタッチパネルとにより構成されている。表示装置は、制御部１（ＣＰＵ１１）から出力される種々の縫製情報（例えば、刺繍データにおける縫いピッチ量や針落ち位置等に関する縫い目データや、刺繍データに基づく刺繍縫い目の形状を図形で示す表示図形や、刺繍データを特定するためのデータ番号等）や、各種スイッチ（設定スイッチ、入力スイッチ、操作スイッチ）等を表示する。タッチパネルは、電磁誘導式、磁気歪式、感圧式等の座標読み取り原理でタッチ指示された座標を検出し、検出した座標を位置信号として制御部１（ＣＰＵ１１）に出力する。すなわち操作パネル４は各種情報やデータ等を表示するとともに、操作パネル４における表示装置に表示された各種スイッチの位置情報と、タッチパネルにおいてタッチ指示により検出された座標の位置情報とを対応させることにより入力された入力指示を、制御部１に出力する。
そして、この操作パネル４は、ミシン１００が所定の縫製を行うための操作入力を行ったり、刺繍縫い目に関する刺繍データを作成するためのデータ設定入力を行ったりするための操作端末装置として機能する。
特に、操作パネル４において、後述するＲＯＭ１２に記憶されている様々な刺繍模様に関する複数の刺繍データから、ユーザが所望する刺繍データ（刺繍模様）を選択して、複数の刺繍データを組み合わせたり編集したりすることにより、新たな刺繍模様に関する刺繍データを作成するための操作入力が行われる。
また、操作パネル４において、その作成した新たな刺繍データを、後述するＥＥＰＲＯＭ１４に記憶させる操作入力が行われ、その操作入力に基づき操作パネル４は制御部１に記憶処理信号を出力する。
また、操作パネル４は、後述する警告手段としての制御部１により、電源スイッチ２２のオフ操作による電力切断に関して不適切なオフ操作があった旨の警告表示を操作パネル４の表示装置に表示する警告手段の一部として機能する。
【００３１】
図１に示す外部記憶装置５は、例えば、不揮発性のフラッシュメモリーなどからなり、パソコンなどの外部機器において作成された刺繍データなどの縫製データを記憶しており、インターフェースなどを介して、その外部記憶装置５に記憶されている縫製データを制御部１に入力可能になっている。
【００３２】
なお、本実施形態においては、ミシンモータ６とステッピングモータ７は、大電力系、モータ系の駆動部である高電力系駆動部として取り扱い、また、操作パネル４と外部記憶装置５及び制御部１は、低電力系、ロジック回路系の駆動部である低電力系駆動部として取り扱う。
【００３３】
制御部１は、操作パネル４、外部記憶装置５、ミシンモータ６、ステッピングモータ７及びその他の図示しないアクチュエータ等について所定の制御プログラムに従って各種の処理及び制御を実行するＣＰＵ１１と、各種の処理及び制御を実行するためのプログラムや各種の処理及び制御に要するデータが格納されたＲＯＭ１２と、各種のデータを格納して各種の処理の作業領域となるＲＡＭ１３と、各種データの書き込みが可能であり各種データを記憶するＥＥＰＲＯＭ１４と、を備えている。
【００３４】
ＣＰＵ１１は、操作パネル４などから入力される各種設定信号、各種データ等に応じて、ＲＯＭ１２に格納されている電子刺繍ミシン用の各種制御プログラムやＥＥＰＲＯＭ１４に格納されている各種縫製データに従って各部の動作処理を集中制御し、その処理結果をＲＡＭ１３内のワークエリアに格納するとともに、操作パネル４の操作により入力された各種データや、ＲＡＭ１３に格納した処理結果を必要に応じてＥＥＰＲＯＭ１４に記憶させる。そして、ＣＰＵ１１は、ミシン１００を構成する各部の駆動を制御する。
【００３５】
ＲＯＭ１２には、ミシン１００の制御プログラムや制御データ、各種縫製に関する縫製データや操作パネル４における表示画面情報が格納され、記憶されている。
例えば、ＲＯＭ１２には、被縫製物に各種縫い目を形成するために、図示しない針棒（縫い針）や保持枠を動作させるための、複数の縫い目形状に関する縫製データが予め記憶されている。この縫製データとしては、縫い目形状を示す形状点の座標や、その形状点に基づき算出された針落ち点の座標が、保持枠に対する縫い針の位置に関連つけられた針落ちする位置の座標データ（座標点）として記憶されている。また、その座標データの位置に縫い針を配置するように、保持枠を縫い針に対して相対移動させる際の移動量に関する移動量データが記憶されている。
特に、ＲＯＭ１２は、様々な刺繍模様に関する縫製データである複数の刺繍データを記憶している。
【００３６】
ＲＡＭ１３には、種々のワークメモリやカウンタなどが設けられており、入力されたデータの処理中や、縫製動作中のワークエリアとして使用される。
【００３７】
ＥＥＰＲＯＭ１４は、ＲＯＭ１２に記憶されている様々な刺繍模様に関する複数の刺繍データが組み合わされたり編集されたりして作成された新たな刺繍模様に関する刺繍データを記憶する。
また、ＥＥＰＲＯＭ１４は、後述する警告手段としての制御部１により、電源スイッチ２２のオフ操作による電力切断に関して不適切なオフ操作があった行為に関する記録を記憶するオフ操作記憶手段の一部として機能する。
【００３８】
そして、制御部１は、ＣＰＵ１１が所定の制御プログラムを実行することにより、ＲＯＭ１２又はＥＥＰＲＯＭ１４に記憶された刺繍データを読み取り、ミシンモータ６の駆動開始と共に刺繍データが示す針落ち位置となるようにステッピングモータ７を駆動し、図示しない保持枠を縫い針（針棒）に位置決めする制御を実行する。そして、ＣＰＵ１１は、ミシンモータ６の回転に同期させながら、刺繍データに設定された座標データに基づき複数の針落ち位置に順番に保持枠を位置決めし、縫い針を針落ちさせる制御を縫製完了まで継続して、刺繍データに基づく刺繍模様の縫い目を形成するようにミシン１００の各部を制御する。
【００３９】
また、制御部１は、電源部２における電源スイッチ２２のオン操作に基づき、フォトカプラ２５から出力される電源オン信号（信号Ｂ）が出力されているか否かを検知する電源オン信号検知手段として機能する。
【００４０】
また、制御部１は、操作パネル４からの記憶処理信号に基づき、作成した新たな刺繍データをＥＥＰＲＯＭ１４に記憶させる刺繍データ記憶処理制御を実行するとともに、その刺繍データ記憶制御の実行前に中継部３における第２リレー３２に、記憶処理駆動信号（信号Ａ）を出力する記憶処理駆動信号出力制御手段として機能する。
【００４１】
また、制御部１は、ミシン１００が所定のデータの記憶処理駆動中である場合に、中継部３における第２リレー３２に駆動電力を供給する駆動電力供給手段として機能する。なお、駆動電力供給手段としての制御部１は、インバータドライブ５１を介してトランジスタ５２をオン状態に切り替えることで、第２リレー３２に駆動電力を供給する。
【００４２】
また、制御部１は、ミシン１００が所定のデータの記憶処理を終了したら、中継部３における第２リレー３２に供給する駆動電力の供給を停止し、第２リレー３２の接続を切断する切断制御手段として機能する。なお、切断制御手段としての制御部１は、インバータドライブ５１を介してトランジスタ５２をオフ状態に切り替えることで、第２リレー３２への駆動電力の供給を停止して第２リレー３２の接続を切断する。
【００４３】
また、制御部１は、ミシン１００が所定のデータの記憶処理駆動中に、電源スイッチ２２のオフ操作された場合、電源スイッチ２２のオフ操作による電力切断に関して不適切なオフ操作があった旨の警告を行うために、警告手段としての操作パネル４の表示装置に警告表示を行う警告手段の一部として機能する。
【００４４】
また、制御部１は、ミシン１００が所定のデータの記憶処理駆動中に、電源スイッチ２２のオフ操作された場合、電源スイッチ２２のオフ操作による電力切断に関して不適切なオフ操作があった行為に関する記録をＥＥＰＲＯＭ１４に記憶するオフ操作記憶手段の一部として機能する。
【００４５】
次に、ミシン１００における電力の供給や切断に関する処理について、図５に示すフローチャートに基づき説明する。
【００４６】
まず、ミシン１００の電源スイッチ２２がオン状態に切り替えられると（ステップＳ１０１）、トランス２３において発生された電圧Ｖｐに基づく電力が大電力系の駆動部（例えば、ミシンモータ６、ステッピングモータ７）に供給されるとともに、電源オン信号（信号Ｂ）が制御部１に出力される（ステップＳ１０２）。
そして、電圧Ｖｐの発生に伴い、第１リレー３１が閉じて接続され、トランス２４において発生された電圧Ｖｃに基づく電力が低電力系の駆動部（例えば、操作パネル４、制御部１）に供給される（ステップＳ１０３）。
この電圧Ｖｐに基づく電力や、電圧Ｖｃに基づく電力の供給に伴い、ミシン１００が起動する。
【００４７】
次いで、制御部１は、ミシン１００が記憶処理を実行するか否かを判断する（ステップＳ１０４）。
制御部１が、ミシン１００は記憶処理を実行しないと判断すると（ステップＳ１０４；Ｎｏ）、ステップＳ１１１へ進む。
一方、制御部１が、ミシン１００が記憶処理を実行すると（ステップＳ１０４；Ｙｅｓ）、第２リレー３２を閉じて接続する（ステップＳ１０５）。
【００４８】
次いで、制御部１は、ミシン１００の記憶処理中に、信号Ｂに基づき電源スイッチ２２がオフされたか否かを判断する（ステップＳ１０６）。
制御部１が、電源スイッチ２２がオフされていないと判断すると（ステップＳ１０６；Ｎｏ）、ステップＳ１０９へ進む。
一方、制御部１が、電源スイッチ２２がオフされたと判断すると（ステップＳ１０６；Ｙｅｓ）、制御部１は、操作パネル４の表示装置に、電源スイッチ２２のオフ操作による電力切断に関して不適切なオフ操作があった旨の警告を表示し（ステップＳ１０７）、その不適切なオフ操作があった行為に関する記録をＥＥＰＲＯＭ１４に記憶する（ステップＳ１０８）。
【００４９】
次いで、制御部１は、所定の記憶処理（電源切断不可処理）が終了したか否かを判断する（ステップＳ１０９）。
制御部１が、所定の記憶処理（電源切断不可処理）は終了していないと判断すると（ステップＳ１０９；Ｎｏ）、ステップＳ１０６に戻る。
一方、制御部１が、所定の記憶処理（電源切断不可処理）は終了したと判断すると（ステップＳ１０９；Ｙｅｓ）、第２リレー３２が開放される（ステップＳ１１０）。
【００５０】
そして、ミシン１００の電源スイッチ２２がオフ状態に切り替えられることによって（ステップＳ１１１）、トランス２３から供給される電圧Ｖｐに基づく電力が消滅するとともに、電源オン信号（信号Ｂ）の出力が停止される（ステップＳ１１２）。
そして、電圧Ｖｐの消滅に伴い、第１リレー３１が開放される（ステップＳ１１３）。
更に、ステップＳ１１３において、第１リレー３１と、第２リレー３２とが開放されたことに基づき、トランス２４から供給される電圧Ｖｃに基づく電力が消滅する（ステップＳ１１４）。
そして、電圧Ｖｐに基づく電力と、電圧Ｖｃに基づく電力が消滅したことに伴い、ミシン１００の駆動が停止される。
【００５１】
このように、本発明に係るミシン１００において、電源スイッチ２２がオン操作されることに伴い、まず、大電力系の電圧Ｖｐが発生し、その電圧Ｖｐに基づく電力によりミシンモータ６やステッピングモータ７など高電力系駆動部の駆動が可能になる。また、電圧Ｖｐの発生に伴い第１リレー３１が閉じて接続されて、低電力系の電圧Ｖｃが発生し、その電圧Ｖｃに基づく電力により制御部１や操作パネル４など低電力系駆動部の駆動が可能になる。この電圧Ｖｐと電圧Ｖｃに基づく電力の供給に伴い、ミシン１００が起動し、動作可能になる。
そして、ミシン１００において、電源スイッチ２２がオフ操作されることに伴い、まず、大電力系の電圧Ｖｐが消滅し、ミシンモータ６やステッピングモータ７など高電力系駆動部の駆動が不能になる。この電圧Ｖｐの消滅に伴い、第１リレー３１が開放され、電圧Ｖｃの消滅が図られるが、ミシン１００において作成された刺繍データをＥＥＰＲＯＭ１４に記憶する記憶処理の実行中である場合、第２リレー３２は接続され続け、電圧Ｖｃに基づく電力が制御部１や操作パネル４など低電力系駆動部に供給され続けるので、それら駆動部の駆動は可能となり、刺繍データに関する記憶処理を実行し続けることができる。
そして、刺繍データに関する記憶処理が完了し、記憶処理駆動信号（信号Ａ）が停止することに伴い、第２リレー３２が開放される。第１リレー３１と第２リレー３２が開放され、電圧Ｖｐと電圧Ｖｃに基づく電力が消滅したことに伴い、ミシン１００の駆動が停止する。
【００５２】
このように、ミシン１００において、新たに作成された刺繍データをＥＥＰＲＯＭ１４に記憶する記憶処理の実行中に、電源スイッチ２２がオフ操作された場合でも、ミシン１００は、刺繍データに関する記憶処理が完了するまでは、その処理に関わる制御部１などを駆動させるための電力を供給することができる。
よって、電源スイッチ２２のオフ操作による電力切断に関して不適切なオフ操作を行ってしまった場合でも、新たに作成された刺繍データを失うことなく、ＥＥＰＲＯＭ１４に書き込み記憶することができる。
【００５３】
また、電源スイッチ２２のオフ操作による電力切断に関して不適切なオフ操作、例えば、新たに作成された刺繍データをＥＥＰＲＯＭ１４に記憶する記憶処理が完了する前のオフ操作を行ってしまった場合に、ミシン１００は、操作パネル４の表示装置に、不適切なオフ操作であった旨を警告する警告表示を行うことができるので、ユーザは不適切なオフ操作を行ったことを認識することができ、以後そのような不適切なオフ操作をしないよう注意を働きかけることができる。
【００５４】
また、電源スイッチ２２のオフ操作による電力切断に関して不適切なオフ操作を行ってしまった場合に、ミシン１００は、不適切なオフ操作であった旨を示すデータをＥＥＰＲＯＭ１４に記憶することができる。そして、不適切なオフ操作に関する行為の回数などをＥＥＰＲＯＭ１４に記憶し蓄積することで、ユーザやミシンメーカの技術者が、その蓄積された不適切操作データに基づき、不適切操作行為に対する対策、対処手段を講じることが可能になる。
【００５５】
なお、以上の実施の形態においては、トランスの二次側の回路（中継部３）におけるリレーの切り替えによる処理に基づき説明したが、本発明はこれに限定されるものではなく、フォトカプラなどを使用することによって、トランスの一次側において、電力供給の切り替え処理を実現するようにしてもよい。
【００５６】
また、以上の実施の形態においては、電力供給装置としてミシンを例に説明したが、本発明はこれに限定されるものではなく、本発明に係る電力供給装置の技術を他の装置や機器に適用してもよい。
【００５７】
また、以上の実施の形態においては、ミシン１００において作成された刺繍データをＥＥＰＲＯＭ１４に記憶する記憶処理の実行中に、ミシン１００の制御部１へ電圧Ｖｃに基づく電力を供給し続ける構成について説明したが、本発明はこれに限定されるものではなく、パソコンなどの機器と所定の通信処理の実行中など、他の制御処理や動作処理において、所定の電力を供給し続けるようにしてもよい。
【００５８】
また、その他、具体的な細部構造等についても適宜に変更可能であることは勿論である。
【図面の簡単な説明】
【００５９】
【図１】本発明に係るミシンの要部構成を示すブロック図である。
【図２】本発明に係るミシンにおける回路の要部構成を示す説明図である。
【図３】第１リレーに関する回路の説明図である。
【図４】第２リレーに関する回路の説明図である。
【図５】本発明に係るミシンにおける電力の供給や切断に関する処理を示すフローチャートである。
【符号の説明】
【００６０】
１      制御部（低電力系駆動部、制御手段）
１１    ＣＰＵ
１２    ＲＯＭ
１３    ＲＡＭ
１４    ＥＥＰＲＯＭ（オフ操作記憶手段）
２      電源部（ミシンの電力供給装置）
２１    電源
２２    電源スイッチ
２３    トランス
２４    トランス
２５    フォトカプラ
３      中継部（ミシンの電力供給装置）
３１    第１リレー（第１の接続手段）
３１ｃ  駆動コイル
３２    第２リレー（第２の接続手段）
３２ｃ  駆動コイル
３３    中継線
３４    中継線
４      操作パネル（低電力系駆動部、警告手段）
５      外部記憶装置（低電力系駆動部）
６      ミシンモータ（高電力系駆動部）
７      ステッピングモータ（高電力系駆動部）
１００  ミシン（ミシンの電力供給装置）
【図１】
2006247266.tif 000003
【図２】
2006247266.tif 000004
【図３】
2006247266.tif 000005
【図４】
2006247266.tif 000006
【図５】
2006247266.tif 000007